(57)【要約】【課題】現実的な手法にて階調数を減らすことなく、液晶の応答速度を高めた、液晶表示装置を提供する。【解決手段】本発明の液晶表示装置は、映像信号線を用いて映像を表示するＬＣＤパネル８および映像信号線を駆動するソースドライバ６を有する液晶表示装置であって、外部からＬＣＤパネル８に対して印加する階調設定電圧およびＣＯＭ設定電圧をソースドライバ６の外部において可変とすることにより、液晶に印加する電圧値の使用可能範囲を変更するようになっている。【選択図】図１
2008020858.tif 000002
【特許請求の範囲】
【請求項１】
映像信号線を用いて映像を表示する液晶表示部および上記映像信号線を駆動する映像信号線駆動部を有する液晶表示装置であって、
外部から上記液晶表示部に対して印加する外部設定電圧を上記の映像信号線駆動部の外部において可変とすることにより、液晶に印加する電圧値の使用可能範囲を変更するようになっていることを特徴とする液晶表示装置。
【請求項２】
上記の映像表示部に表示する映像が動画か静止画かにより、上記の外部設定電圧の値を切り替え可能であることを特徴とする請求項１に記載の液晶表示装置。
【請求項３】
周囲の温度を検知する温度検知手段を有しており、該温度検知手段の検知結果に基づいて、上記の外部設定電圧の値を最適な値に設定可能であることを特徴とする請求項１または２に記載の液晶表示装置。
【請求項４】
透過モードと反射モードとを切り替え可能な半透過型の液晶表示装置であって、
透過モードか反射モードかのいずれのモードであるかを検知するモード検知手段を有しており、該モード検知手段の検知結果に基づいて、上記の外部設定電圧の値を切り替え可能であることを特徴とする１から３のいずれか１項に記載の液晶表示装置。
【請求項５】
外部から映像データが入力されるようになっており、
１フレーム前の映像データを一時的に記憶するフレームメモリと、
１フレーム前の映像データと現在の映像データとの関係から最適なオーバーシュート駆動パラメータが予め記憶されたルックアップテーブルと、
該ルックアップテーブルから最適なオーバーシュート駆動パラメータを選択し、オーバーシュート駆動を行うオーバーシュート駆動部と、を有することを特徴とする請求項１または２に記載の液晶表示装置。
【請求項６】
周囲の温度を検知する温度検知手段を有しており、該温度検知手段の検知結果に基づいて、上記の外部設定電圧は最適な値に設定可能となっており、
上記のルックアップテーブルは、温度ごとに複数設けられており、
上記の温度検知手段の検知結果に基づいて、最適なルックアップテーブルが選択されることを特徴とする請求項５に記載の液晶表示装置。
【請求項７】
透過モードと反射モードとを切り替え可能な半透過型の液晶表示装置であって、
透過モードか反射モードかのいずれのモードであるかを検知するモード検知手段を有しており、該モード検知手段の検知結果に基づいて、上記の外部設定電圧を切り替え可能となっており、
さらに、上記のルックアップテーブルは、反射モード用と透過モード用とが設けられており、上記のモード検知手段の検知結果に基づいて反射モード用のルックアップテーブルまたは透過モード用のルックアップテーブルのいずれかが選択されることを特徴とする請求項５または６に記載の液晶表示装置。
【請求項８】
上記外部設定電圧は、映像信号線駆動部に供給される階調設定電圧、および、液晶表示部に供給されるコモン設定電圧であることを特徴とする請求項１に記載の液晶表示装置。
【請求項９】
上記の映像信号線駆動部の外部に、上記液晶表示部に表示する映像が動画であるか静止画であるかによって、別々の外部設定電圧に対応した設定値が格納された記憶部が設けられていることを特徴とする請求項２に記載の液晶表示装置。
【請求項１０】
上記の記憶部は、ＥＥＰＲＯＭであることを特徴とする請求項９に記載の液晶表示装置。
【請求項１１】
映像信号線を用いて映像を表示する液晶表示部および上記映像信号線を駆動する映像信号線駆動部を有する液晶表示装置の駆動方法であって、
外部から上記液晶表示部に対して印加する外部設定電圧を上記の映像信号線駆動部の外部において可変とすることにより、液晶に印加する電圧値の使用可能範囲を変更することを特徴とする液晶表示装置の駆動方法。
【発明の詳細な説明】
【技術分野】
【０００１】
本発明は、液晶表示装置およびその駆動方法に関するものであり、より詳細には、動画を表示する際の液晶の応答速度の改善を図った液晶表示装置およびその駆動方法に関するものである。
【背景技術】
【０００２】
従来、液晶表示装置は、応答速度の低さが問題となっている。最近、液晶ＴＶ、携帯ＴＶ、携帯ゲーム、およびナビゲーションなどで動画を表示する機会が一段と増す中、液晶の応答速度の改善を求める声が大きい。
【０００３】
そのような中、液晶の応答速度の改善の技術として、オーバードライブ駆動(オーバーシュート駆動)が知られている。オーバーシュート駆動により、表示品位が大幅に改善されるが、次の２点の問題がある。第１に、オーバードライブ量を変えても、角の大きさが変わるだけで、スローブ部が改善されない（例えば、特許文献１参照）。第２に、低温になると、オーバーシュート駆動をしても、到達目標階調に到達しない、つまり、目標の階調になかなか達しない。
【０００４】
ここで、オーバーシュート駆動の駆動方法およびその効果について簡単に説明する。例えば、ＲＧＢ各６ビット（６４階調）の液晶表示装置において、ある画素のデータの階調が、Ｌ０（０階調）からＬ８（８階調）に変化したとする。
【０００５】
図２４に示す、波形（ａ）は、オーバーシュート駆動無しの場合の画素のデータ遷移を示している一方、波形（ｂ）は、オーバーシュート駆動有りの場合の画素のデータ遷移を示している。波形（ｂ）では、Ｌ０からＬ８への遷移が１フレーム応答するように、予めＬＵＴ（ルックアップテーブル；不図示）から、オーバーシュート駆動パラメータとして、Ｌ３２（３２階調）が選択されている。つまり、階調が、Ｌ０→Ｌ３２→Ｌ８と変化している。ＬＵＴには、光学応答が１フレーム応答になるように、事前に複数のオーバーシュート駆動パラメータが格納されている。
【０００６】
これらの波形（ａ）（ｂ）に対応するそれぞれの光学特性を図２５に示す。オーバーシュート駆動を行わない場合には、図２５における波形（ｃ）に示すように、目標の輝度Ｌ８に到達するまでに、２フレームを要する。一方、オーバーシュート駆動を行った場合には（つまり、３２階調をオーバーシュート駆動パラメータとすることにより）、図２４における波形（ｄ）に示すように、見かけ上、１フレーム応答を実現することができる。なお、図２４における波形（ｅ）は、Ｌ０→Ｌ３２へと階調が変化した際の光学特性を示している。このようなオーバーシュート駆動を行うことにより、応答速度を飛躍的に改善することができる。
【０００７】
次に、一例として、オーバーシュート駆動無しの場合と、オーバーシュート駆動有りの場合との階調間の応答速度をそれぞれ図２６・２７に示す。図２６はオーバーシュート駆動を行わなかった場合の階調間の応答速度を示す特性であり、図２７はオーバーシュート駆動を行った場合の階調間の応答速度を示す特性である。これらの図２６・２７から、オーバーシュート駆動を行った場合の方が、応答速度を改善することができることが分かる。
【０００８】
但し、これらの図２６・２７は、常温時の測定結果であり、特に車載などのように、広い温度レンジ（一般に、動作温度−３０℃〜８５℃）が要求される分野では、オーバーシュート駆動パラメータとして最大パラメータ（例えば６３階調）を挿入しても、１フレーム応答が実現できない場合がある。
【０００９】
この場合につき、上記の例を用いて考えると、上記では、Ｌ０からＬ８へ階調が遷移した場合、３２階調をオーバーシュート駆動パラメータとして選択することにより、１フレーム応答させることができた。ところが、これは常温の場合であり、低温の場合には、選択するオーバーシュート駆動パラメータをより大きくする必要がある。
【００１０】
しかし、オーバーシュート駆動パラメータの最大値にも基本的に限界があり、例えば、６ビットの液晶モジュール（液晶表示装置）の場合、Ｌ６３が最大となる。なお、Ｌ６３より大きいオーバーシュート領域、またはアンダーシュート領域を持たせる特許もあるが、その場合は、ドライバ（ソースドライバ、ゲートドライバ）の耐性等の問題があり、大きくするにも限界がある。
【００１１】
さらに、極低温（低温）では、そもそも黒から白への応答そのものが１フレーム応答できない。そのため、極低温（低温）では、Ｌ０からＬ８への遷移に対して、パラメータを最大パラメータのＬ６３を用いても、１フレーム応答が実現できない。
【００１２】
図２８における波形（ｆ）は、極低温におけるＬ０からＬ８に遷移をオーバーシュート駆動無しで行う場合の画素のデータ遷移を示しており、図２８における波形（ｇ）は、極低温におけるＬ０からＬ８に遷移をＬ６３をオーバーシュート駆動パラメータとしてオーバーシュート駆動有りで行う場合の画素のデータ遷移を示している。
【００１３】
これら波形（ｆ）（ｇ）に対応するそれぞれの光学特性を図２９に示す。オーバーシュート駆動を行わない場合には、波形（ｈ）に示すように、目標の輝度に達するまでに、３フレームを要する。一方、オーバーシュート駆動パラメータを最大値としてオーバーシュート駆動を行った場合には（つまり、６３階調をオーバーシュート駆動パラメータとした場合には）、波形（ｉ）に示すように、２フレームを要する。つまり、オーバーシュート駆動パラメータを最大にしてオーバーシュート駆動を行っても、１フレーム応答を実現することができない。なお、図２９における波形（ｊ）は、Ｌ０→Ｌ６３へと階調を変化させた場合の光学特性を示している。従って、極低温での動作を考えた場合、改善効果はあるが、不十分であると言わざるをえない。
【００１４】
ところで、応答速度改善の手法として、特許文献２に応答速度を遅くなるレベルを使わずに、表示を行うことによって、応答速度を改善させる方法が開示されている。
【００１５】
ノーマリーブラック方式（ＡＳＶ）などの階調間の応答速度は、図２６に特性を示した通りであり、特に、黒→低階調間の遷移の応答速度が極めて遅い。従って、図３０の波形（ｋ）に示すように、従来の使用範囲から例えば応答速度の遅い下位１６ビット（Ｌ０からＬ１５）を使用しないことにより（つまりビット圧縮することにより）、応答速度の改善を図ることができる。なお、ノーマリーホワイト方式の場合には、応答速度が遅いのが、白→中間調白間の応答であるため、逆に、Ｌ４８からＬ６３を使用しないことにより、応答速度の改善を図ることができる。
【特許文献１】特開２００４−７８１２９号公報（平成１６年３月１１日  公開）
【特許文献２】特開２００２−１３１７２１号公報（平成１４年５月９日  公開）
【発明の開示】
【発明が解決しようとする課題】
【００１６】
上記のように、応答速度の遅いビットを使わないという方法は、応答速度を改善することができるという一定の効果はあるものの、そのトレードオフとして、表示階調数が減ってしまい、表示品位が低下するという問題が生じる。さらに、静止画（準静止画；ほとんど動きのない映像）に対しても、ビット圧縮してしまうため、デメリットだけが際立ってしまうという問題がある。
【００１７】
また、極低温では、常温に比べて不使用となるビット数が増えることになり、表示階調数が大幅に削減され、表示品位は大幅に低下する。例えば、ノーマリーブラックの場合に、常温で下位８ビットを使用しないことにより、１フレーム応答を実現できたとしても、温度が下がってくると、当然、１フレーム応答を実現するために必要とされる削減ビット数が、１６→３２とどんどん増える。
【００１８】
なお、ソースドライバのラダー抵抗を修正したり、ソースドライバにラダー抵抗を複数設けたりすることにより、応答速度の改善を図るという方法も考えられるが、いちいちソースドライバを修正する必要があり、現実的ではない。
【００１９】
本発明は、上記の問題点に鑑みてなされたものであり、その目的は、現実的な手法にて階調数を減らすことなく、液晶の応答速度を高めた、液晶表示装置およびその駆動方法を提供することである。
【課題を解決するための手段】
【００２０】
本発明の液晶表示装置は、上記課題を解決するために、映像信号線を用いて映像を表示する液晶表示部および上記映像信号線を駆動する映像信号線駆動部を有する液晶表示装置であって、外部から上記液晶表示部に対して印加する外部設定電圧を上記の映像信号線駆動部の外部において可変とすることにより、液晶に印加する電圧値の使用可能範囲を変更するようになっていることを特徴としている。
【００２１】
また、本発明の液晶表示装置の駆動方法は、上記課題を解決するために、映像信号線を用いて映像を表示する液晶表示部および上記映像信号線を駆動する映像信号線駆動部を有する液晶表示装置の駆動方法であって、外部から上記液晶表示部に対して印加する外部設定電圧を上記の映像信号線駆動部の外部において可変とすることにより、液晶に印加する電圧値の使用可能範囲を変更するようになっていることを特徴としている。
【００２２】
ここで、本発明の液晶表示装置では、ノーマリーブラック方式とノーマリーホワイト方式との両方の方式を含む。
【００２３】
液晶は、その応答速度が遅く、例えば、ノーマリーブラック方式の場合、黒→低階調間の遷移の応答速度が特に遅く、問題となっている。これに対し、従来、そもそも応答速度の遅い下位の階調を用いない、という手法がとられている。しかしながら、この手法では、応答速度を高めることができるが、表示に用いる階調数が減ってしまい、表示品位が低下する、という問題が生じる。
【００２４】
これに対し、上記構成によれば、外部から上記液晶表示部に対して印加する外部設定電圧を上記の映像信号線駆動部の外部において可変とし、これにより、液晶に印加する電圧値の使用可能範囲を変更している。このように、液晶に印加する外部設定電圧自体を可変として、液晶に印加する電圧の使用可能範囲を変更することにより、従来のように下位の階調を用いない場合のように、使用する電圧の範囲に制限を加えて、応答速度の速い電圧の部分のみを用いることができる。さらに、映像信号線駆動部の外部にて外部設定電圧の変更を行っているため、例えば、映像信号線駆動部の内部のラダー抵抗を修正したり、ソースドライバにラダー抵抗を複数設けたりすることにより、外部設定電圧の変更を行う、という非現実的な方法を取る必要もない。
【００２５】
また、本発明の液晶表示装置では、上記の映像表示部に表示する映像が動画か静止画かにより、上記の外部設定電圧の値を切り替え可能であることが好ましい。
【００２６】
動画の場合には、応答速度の改善を図るために、液晶に印加する電圧の使用可能範囲を変更する必要がある一方、静止画の場合には、その必要はなく、逆に、使用する電圧の範囲に制限を加えない方が高いコントラストを維持することができる。上記構成によれば、動画の場合と静止画の場合とで、外部設定電圧の値を切り替えている。そのため、動画では、応答速度を高めると共に、静止画では、高いコントラストを維持することが可能となる。
【００２７】
また、本発明の液晶表示装置では、周囲の温度を検知する温度検知手段を有しており、該温度検知手段の検知結果に基づいて、上記の外部設定電圧の値を最適な値に設定可能であることが好ましい。
【００２８】
液晶の応答速度は、温度によりその速度が変化する。より詳細には、低温になるほど、液晶の応答速度が遅くなる、ことが知られている。そのため、温度に応じて、外部設定電圧を変えることが好ましい。上記構成によれば、周囲の温度を検知する温度検知手段を有しており、該温度検知手段の検知結果に基づいて、上記の外部設定電圧の値を最適な値に設定可能である。このため、温度変化により、液晶の応答速度が変化しても、温度検知手段により温度を検知し、その都度最適な外部設定電圧の値を設定することができる。それゆえ、表示品位を高めることができる。
【００２９】
また、本発明の液晶表示装置では、透過モードと反射モードとを切り替え可能な半透過型の液晶表示装置であって、透過モードか反射モードかのいずれのモードであるかを検知するモード検知手段を有しており、該モード検知手段の検知結果に基づいて、上記の外部設定電圧の値を切り替え可能であることが好ましい。
【００３０】
上記構成によれば、モード検知手段を用いて、透過モードと反射モードとで外部設定電圧の値を切り替えている。従って、各モードに応じた外部設定電圧を設定することができるため、より適切な応答性能を図ることができる。
【００３１】
また、本発明の液晶表示装置では、外部から映像データが入力されるようになっており、１フレーム前の映像データを一時的に記憶するフレームメモリと、１フレーム前の映像データと現在の映像データとの関係から最適なオーバーシュート駆動パラメータが予め記憶されたルックアップテーブルと、該ルックアップテーブルから最適なオーバーシュート駆動パラメータを選択し、オーバーシュート駆動を行うオーバーシュート駆動部と、を有することが好ましい。
【００３２】
上記構成によれば、外部から映像データが入力されるようになっており、１フレーム前の映像データを一時的に記憶するフレームメモリと、１フレーム前の映像データと現在の映像データとの関係から最適なオーバーシュート駆動パラメータが予め記憶されたルックアップテーブルと、該ルックアップテーブルから最適なオーバーシュート駆動パラメータを選択し、オーバーシュート駆動を行うオーバーシュート駆動部と、を有している。従って、オーバーシュート駆動を行うことができ、上記した外部設定電圧を可変とすることに加えて、より一層の応答速度の改善を図ることができる。
【００３３】
また、本発明の液晶表示装置では、周囲の温度を検知する温度検知手段を有しており、該温度検知手段の検知結果に基づいて、上記の外部設定電圧は最適な値に設定可能となっており、上記のルックアップテーブルは、温度ごとに複数設けられており、上記の温度検知手段の検知結果に基づいて、最適なルックアップテーブルが選択されることが好ましい。
【００３４】
上記構成によれば、周囲の温度を検知する温度検知手段を有しており、該温度検知手段の検知結果に基づいて、上記の外部設定電圧の値を最適な値に設定可能であるため、温度変化により、液晶の応答速度が変化しても、温度検知手段により温度を検知し、その都度最適な外部設定電圧の値を設定することができるため、表示品位を高めることができる。
【００３５】
また、本発明の液晶表示装置では、透過モードと反射モードとを切り替え可能な半透過型の液晶表示装置であって、
透過モードか反射モードかのいずれのモードであるかを検知するモード検知手段を有しており、該モード検知手段の検知結果に基づいて、上記の外部設定電圧を切り替え可能となっており、さらに、上記のルックアップテーブルは、反射モード用と透過モード用とが設けられており、上記のモード検知手段の検知結果に基づいて反射モード用のルックアップテーブルまたは透過モード用のルックアップテーブルのいずれかが選択されることが好ましい。
【００３６】
上記構成によれば、モード検知手段を用いて、透過モードと反射モードとで外部設定電圧の値を切り替えている。従って、各モードに応じた外部設定電圧を設定することができるため、より適切な応答性能を図ることができる。
【００３７】
また、本発明の液晶表示装置では、上記外部設定電圧は、映像信号線駆動部に供給される階調設定電圧、および、液晶表示部に供給されるコモン設定電圧であることが好ましい。
【００３８】
また、本発明の液晶表示装置では、上記の映像信号線駆動部の外部に、上記液晶表示部に表示する映像が動画であるか静止画であるかによって、別々の外部設定電圧に対応した設定値が格納された記憶部が設けられていることが好ましい。
【００３９】
また、本発明の液晶表示装置では、上記の記憶部は、ＥＥＰＲＯＭであることが好ましい。
【発明の効果】
【００４０】
本発明の液晶表示装置は、以上のように、映像信号線を用いて映像を表示する液晶表示部および上記映像信号線を駆動する映像信号線駆動部を有する液晶表示装置であって、外部から上記液晶表示部に対して印加する外部設定電圧を上記の映像信号線駆動部の外部において可変とすることにより、液晶に印加する電圧値の使用可能範囲を変更するようになっている。
【００４１】
また、本発明の液晶表示装置の駆動方法は、以上のように、映像信号線を用いて映像を表示する液晶表示部および上記映像信号線を駆動する映像信号線駆動部を有する液晶表示装置の駆動方法であって、外部から上記液晶表示部に対して印加する外部設定電圧を上記の映像信号線駆動部の外部において可変とすることにより、液晶に印加する電圧値の使用可能範囲を変更する。
【００４２】
従って、現実的な手法にて階調数を減らすことなく、液晶の応答速度を高めることができる。
【発明を実施するための最良の形態】
【００４３】
〔関連発明について〕
はじめに、本発明の特徴点を明確にするために、本発明の実施の形態を説明する前に、本発明と同一の出願人の関連発明をいくつか説明する。
【００４４】
〔特願２００５−０９８０９（関連出願１）について〕
関連出願１の発明では、静止画か動画かを判別する判別手段をコントローラ部（図１参照）に設けている。なお、この判別手段は、外部から入力された判別制御信号ＭＳ判別制御信号ＭＳに基づいて、静止画か動画かを判別する（つまり、デジタルデータを用いて判別する）。また、外部から判別制御信号ＭＳを得ずに判別する方法でもよいとされている。この判別に基づいて、動画の場合にはビット圧縮を行う一方、静止画の場合にはビット圧縮を行わないことで、動画の場合には応答速度の改善を図ると共に、静止画の場合には画質劣化を抑えている。
【００４５】
また、関連出願１には、静止画用と動画用の階調設定用ラダー抵抗（ラダー抵抗）をスイッチにより切り替える手法が提案されている。これにより、ビット圧縮せずに、動画の場合のみソースドライバの階調設定電圧を変えることができる。つまり、ビット圧縮せずに、Ｖ−Ｔの使用領域を制限でき、かつ、階調―輝度特性（γ特性）の最適化を図ることができる。
【００４６】
（特願２００５−１０４８１１（関連出願２）について）
この関連出願２では、静止画か動画かの判別を、関連出願１のように、デジタルデータや階調設定用ラダー抵抗にて行うのではなく、ＣＯＭ信号を静止画と動画で可変としている。なお、この関連出願２でも、動画の場合にはビット圧縮を行う一方、静止画の場合にはビット圧縮を行わないようしている。
【００４７】
（特願２００５−１０４８３３（関連出願３）および特願２００５−１０４８６２（関連出願４）について）
この関連出願３・４は、上記の関連出願１に対して、さらに、オーバーシュート駆動を行うことによって、つまり、ノーマリーブラックの場合に、下位ビットを圧縮し、さらに、オーバーシュート駆動を行うことによって、応答速度をさらに向上させることができる。また、この関連出願３・４では、上記の関連出願１・２と同様に、静止画に対してはビット圧縮を行わず、動画に対してのみビット圧縮を行うことにより、静止画での画質の劣化を抑えている。
【００４８】
上記の関連出願１〜４に記載の、ビット圧縮について、具体的に説明すると、例えば、ＲＧＢ各８ビット（６４階調）ノーマリーブラック方式（ＡＳＶなど）の液晶駆動装置において、動画表示時に、下位１５ビット（階調Ｌ０〜階調Ｌ１４）を使用しないものがある。
【００４９】
例えば、入力された階調（入力階調）は、次の図１８に示すように、出力階調として変換される。この変換方法は、関連出願３・４に記載の通り、使用しない入力階調（使用禁止領域の階調）０〜１５を全て１６階調に設定してもよいし、このように設定すると、黒側の階調潰れてしまうので、γ＝２．２（一例）に合うように再度設定（フィッティング）してもよい。なお、図１８では、γ＝２．２へ再フィッティングのＬＵＴを示している。
【００５０】
上記の関連出願１に示す技術内容でも、充分に応答速度の改善につながるが、これにオーバーシュート駆動を組み合わせた場合、更なる応答速度の改善を図ることができる。
【００５１】
次に、下位ビット圧縮技術についてもう少し詳細に説明し、その後、オーバーシュート駆動について説明し、さらにその後、下位ビット圧縮とオーバーシュート駆動とを組み合わせた技術について説明する。
【００５２】
〔下位ビット圧縮について〕
例えば、パネル内にある、１画素に対する入力データがＬ０からＬ３２へ変化した場合を考える。まず、関連出願１で説明したように、コントローラ部で、上記の図１８に示すＬＵＴを用いると、図１９に示すように、画素のデータ遷移が波形（ウ）に示すようにＬ０→Ｌ３２となる場合、Ｌ０は使用禁止領域の階調であるため、下位ビット圧縮され画素のデータ遷移は波形（エ）に示すようにＬ１６→Ｌ３２となる。図１９には、この圧縮処理の様子が示されている。同図に示すように、下位ビット圧縮処理が行われ、Ｌ０→Ｌ３２の画素のデータ遷移が、Ｌ１６→Ｌ３２の画素のデータ遷移へと変換される。
【００５３】
次に、下位ビット圧縮させずに階調をＬ０→Ｌ３２へと変化させた場合と、下位ビット圧縮させて階調をＬ１６→Ｌ３２へと変化させた場合とのそれぞれの場合の光学特性を図２０に示す。
【００５４】
下位ビット圧縮無しの場合（Ｌ０→Ｌ３２へと変化させる場合）には、同図の波形（オ）に示すように、目的の階調（Ｌ３２）に達するまでに２フレーム要するのに対して、下位ビット圧縮有りの場合（Ｌ１６→Ｌ３２へと変化させる場合）には、同図の波形（カ）に示すように、目標の階調（Ｌ３２）へ１フレーム応答させることができる。なお、説明の便宜上、波形（カ）に、下位ビット圧縮しない場合の光学特性を破線にて併記している。
【００５５】
しかしながら、この下位ビット圧縮を行う技術は、次のような問題を有している。すなわち、低温になればなるほど、１フレーム応答を実現するためのビット圧縮量が大きくなり、ビット圧縮量が増加する。ビット圧縮量の増加に伴って、表示品位が損なわれる。つまり、低温になると、１フレーム応答を実現するためには、下位ビット圧縮量は、上記のような１５階調（Ｌ０→Ｌ１６）に留まらず、さらなる圧縮量が必要となる。
【００５６】
以下、具体的に、この問題について説明する。液晶の光学応答は、低温になると、遅くなる傾向があることは周知の事実である。低温で、Ｌ０からＬ３２へ変化させる場合の光学特性について、説明する。図２１に示す波形（キ）は、下位ビット圧縮無しの場合の光学特性を示しており、この場合には、目的の階調に達するまでに３フレーム要する。また、図２０に示す波形（ク）は、下位ビット圧縮有りの場合の光学特性を示している。この場合でも、目的の階調に達するまでに、２フレーム要する。つまり、低温の場合には、常温の場合と異なり、下位ビット圧縮を行っても、１フレーム応答が実現できないという問題がある。なお、説明の便宜上、波形（ク）にも波形（キ）と同一の波形を併記している。
【００５７】
〔オーバーシュート駆動について〕
次に、オーバーシュート駆動について説明する。オーバーシュート駆動についての詳細な説明は避けるが、簡単に説明すると、オーバーシュート駆動部に、フレームメモリおよびＬＵＴを設け、フレームメモリに１フレーム前のデータを記憶させて、１フレーム前のデータと入力されたデータ（現データ）とを比較し、これらのデータに相違があれば、オーバーシュート駆動パラメータをＬＵＴから読み出して、オーバーシュート駆動する技術である。
【００５８】
なお、ＲＧＢ各６ビット（６４階調）であれば、ＬＵＴとしては、６４×６４のＬＵＴが必要になるが、この場合容量が大きくなるため、９×９のＬＵＴにして、該当部がない領域に対して、線形補完する技術も上記の関連出願に開示されている。
【００５９】
ここでは、入力データがＬ０→Ｌ３２へと変化する場合に、図２２における波形（ケ）には、オーバーシュート駆動を行わずに、Ｌ０→Ｌ３２へと画素のデータを変化させる場合が示されている一方、図２１の波形（コ）には、オーバーシュート駆動を行ってＬ０→Ｌ６３→Ｌ３２へと画素のデータを変化させる場合が示されている。
【００６０】
オーバーシュート駆動を行わずに、画素のデータをＬ０→Ｌ３２へと変化させた場合の光学特性は、波形（サ）に示すようになり、目標の階調（Ｌ３２）に達するまでに、３フレームを要する。一方、画素のデータがＬ０→Ｌ３２へと変化する場合に、Ｌ６３のオーバーシュート量を用いて、オーバーシュート駆動を行った場合、波形（シ）に示すように、目標の階調（Ｌ３２）に達するまでの時間が２フレームとなり、応答速度が改善される。ところが、この場合でも、１フレーム応答が実現できない。この理由は、低温では、図２２の破線で示す波形（ス）に示すように、そもそもＬ０→Ｌ６３への応答波形自体が１フレーム応答を実現できないからである。
〔下位ビット圧縮にオーバーシュート駆動を組み合わせた場合について〕
さらに、下位ビット圧縮にオーバーシュート駆動を組み合わせた技術について、説明する。上記と同様に、画素のデータがＬ０→Ｌ３２へと変化する場合について説明する。なお、下位１５ビットは使用禁止の設定をして、下位ビット圧縮をしている。まず、Ｌ０は使用禁止領域の階調であるため、このＬ０をＬ１６に変換する。これにより、Ｌ１６→Ｌ３２への画素のデータ変化と認識することができる。
【００６１】
画素データは、図２３の波形（セ）に示すように、Ｌ０→Ｌ３２へと変化するため、オーバーシュートブロック（オーバーシュート駆動部；不図示）では、Ｌ１６→Ｌ３２に対するオーバーシュートパラメータ（オーバーシュート量）が選定される。ここでは、Ｌ５６が選択される。従って、出力データは、図２２の波形（ソ）に示すように、Ｌ１６→Ｌ５６→Ｌ３２と変化する。
【００６２】
これにより、下位ビット圧縮無しの場合には、波形（タ）に示すように、目標の階調に達するまでに、２フレームかかっていたのに対して、破線にて示す波形（チ）に示すように、１フレーム応答を実現することができる。なお、説明の便宜上、波形（チ）には、上記の波形（タ）と同一の波形を破線にて示している。
【００６３】
以上の関連出願が有しており、以下に示す本発明の実施の形態にて初めて解決される課題について説明する。
【００６４】
(a) 温度変化に関することに言及されていないため、温度変化に合わせた応答速度の改善を行うことができない。
【００６５】
(b) 下位ビット圧縮にオーバーシュート駆動を組み合わせた場合でも、車載用途などのように、極低温でのモジュールの使用がある場合には、視認性の高い応答を実現しようとすると、ビット圧縮量が大きくなりすぎるため、表示品位の大幅な低下は避けられない。
【００６６】
(c) 上記の(b)の問題に対して、関連出願１のように、ラダー抵抗を切り替えることは、ビット圧縮無しに、応答の遅い領域を除去できるため、階調数の削減がないというメリットがあるが、温度が変わった時に、ラダー抵抗の値を連動させて変えることは現実できではない、つまり、例えば、車載など−３０℃〜＋８５℃での使用があるモジュールでは何本もの（複数の）ラダー抵抗が必要となり、現実的ではない。
【００６７】
これらの課題および上記した〔発明が解決しようとする課題〕を解決する実施の形態について説明する。
【００６８】
〔実施の形態１〕
本発明の一実施の形態について、図面を用いて説明する。本発明の液晶表示装置は、図１に示すように、コントロール部（コントローラ）１、ＥＥＰＲＯＭ（記憶部）２、Ｄ／Ａ（Ｄ／Ａコンバータ）３、階調ＩＣ４、ＣＯＭバッファ５、映像信号線（不図示）を用いて映像を駆動するソースドライバ（映像信号線駆動部）６、ゲートドライバ７、およびＬＣＤパネル（映像表示部）８を備えている。なお、本実施の形態では、ノーマリーブラック方式（ＡＳＶ等）を元に説明するが、ノーマリーホワイト方式（ＴＮ方式液晶等）でもよく、基本的な考え方は同じである。また、本実施の形態では、ライン反転駆動方式について説明するが、これに限定されず、ドット反転駆動方式、または、フレーム反転駆動方式など、その他の駆動方式でもよい。
【００６９】
コントローラ部１は、スイッチ１３、静止画用階調・コモン（ＣＯＭ）設定用レジスタ９、および動画用階調・コモン設定用レジスタ１０を備えている。
【００７０】
スイッチ１３は、コントロール部１の外部から入力された動画・静止画判別信号ＭＳに基づいて、静止画用階調・コモン設定用レジスタ９に格納された静止画用階調・コモン設定値１１、または、動画用階調・コモン設定用レジスタ１０に格納された動画用階調・コモン設定値１２のいずれを読み出してコントロール部１へ出力するかを切り替える。
【００７１】
静止画用階調・コモン設定用レジスタ９には、ＥＥＰＲＯＭ２に内蔵された静止画用階調・コモン設定値１１がコントロール部１にて読み出されて格納されている。一方、動画用階調・コモン設定用レジスタ１０には、ＥＥＰＲＯＭ２に内蔵された動画用階調・コモン設定値１２がコントロール部１にて読み出されて格納されている。
【００７２】
ＥＥＰＲＯＭ２には、静止画用階調・コモン設定値１１および動画用階調・コモン設定値１２が内蔵されており、これらの値を外部から書き換えることができるようになっている。ソースドライバラダー抵抗を複数設けるのではなく、各種設定に応じて、デジタルデータとしてＥＥＰＲＯＭ２に設定データを格納することにより、(a)設定の修正が容易である、(b)多数の設定を容易に持たせることができる、などのメリットがある。なお、ラダー抵抗の数が多くなると、その数量分抵抗を用意しなければならない。
【００７３】
Ｄ／Ａコンバータ３は、コントローラ部１から出力されたデジタル値である、階調・コモン設定値（静止画用階調・コモン設定値または動画用階調・コモン設定値）をアナログ値（アナログ電圧）に変換（アナログ変換）し、階調設定値をアナログ変換した階調設定電圧（特許請求の範囲に記載の「外部設定電圧」）については、階調ＩＣ４へ入力する一方、コモン設定値をアナログ変換したＣＯＭ設定電圧（特許請求の範囲に記載の「外部設定電圧」）に関しては、ＣＯＭバッファ５に入力する。
【００７４】
なお、上記では、コントロール部１における静止画と動画との判別を外部から入力された動画・静止画判別信号ＭＳによるとしたが、これに限らず、このような信号の入力をせずにコントロール部１内部で静止画か動画かの判別を行ってもよい。また、静止画・動画との判別は、完全静止画・動画との判別だけでなく、ほとんど動きのない映像である準静止画・動画という判別も含む。また、上記では、コントロール部１の外部にＤ／Ａコンバータ３を設けているが、これに限らず、コントロール部１の内部にＤ／Ａコンバータ３を設けてもよい。
【００７５】
次に、上記の液晶表示装置における、階調の設定方法について説明する。ノーマリーブラック方式のＶ−Ｔ特性（液晶印加電圧（Ｖ）−透過率（％）特性；階調−輝度特性；γ特性）は、図２の波形（ア）に示すようになっている。同図に示すように、階調Ｌ０の液晶印加電圧（Ｌ０階調設定電圧）〜階調Ｌ６３の液晶印加電圧（Ｌ６３階調設定電圧）の範囲内が従来使用範囲（矢印Ａで示される範囲）となっている。ここで、階調Ｌ０および階調Ｌ６３の設定印加電圧値は、液晶モジュールのコントラスト、およびドライバ（ソースドライバ６、ゲートドライバ７）の耐性などを考慮して決定される。
【００７６】
階調Ｌ０および階調Ｌ６３以外の階調（階調Ｌ１〜階調Ｌ６２）の液晶印加電圧は、ソースドライバ６内部のラダー抵抗比によって決定される。ソースドライバ６は、図３に示すように、ラダー抵抗２０を備えている。外部（階調ＩＣ４）から入力された、Ｌ０階調設定電圧およびＬ６３階調設定電圧は、図３に示すように、ラダー抵抗２０の両端に印加され、このラダー抵抗２０における、Ｌ０階調設定電圧の入力側から順に階調Ｌ１〜階調Ｌ６２の階調設定電圧を取り出すことにより、これらの階調設定電圧を、ラダー抵抗２０の抵抗比により決定することができる。
【００７７】
ところが、上記の図２に示す、γ特性は、例えば、液晶材などのＬＣＤパネル（液晶パネル）８により変化する。ＬＣＤパネル８を変更した際に、この変更に応じてソースドライバ６のラダー抵抗２０を変更することは現実的ではない。ここで、γ特性は、一般にγ＝２．２が理想曲線とされている。図４に示す曲線の波形（イ）は、γ＝２．２の場合の、Ｖ−Ｔ特性を示している。上記したように、γ＝２．２を実現するためには、ＬＣＤパネル８に合わせて、いちいちラダー抵抗２０を見直し、ソースドライバ６を変更するという現実的でない方法をとらなければならない。
【００７８】
これに対して、一般には、図５に示すように、階調Ｌ０および階調Ｌ６３以外に、Ｌ０〜Ｌ６３までの数ポイントを外部からバイアスする方法がとられている。同図では、外部からバイアスするポイントは、階調Ｌ０、階調Ｌ１５、階調Ｌ３１、階調Ｌ４７、および階調Ｌ６３の５ポイントとなっている。つまり、同図に示すように、外部から階調Ｌ０、階調Ｌ１５、階調Ｌ３１、階調Ｌ４７、および階調Ｌ６３の階調設定電圧をラダー抵抗２０に印加するようにしている。なお、このポイント数は単なる一例にすぎず、また、このポイント数は、多ければ多いほど、γ特性の精度が上がる。
【００７９】
また、ライン反転の場合、１水平期間（１Ｈ）毎に、ソースドライバ６からの出力極性を反転させる必要がある。従って、階調Ｌ０、階調Ｌ１５、階調Ｌ３１、階調Ｌ４７、および階調Ｌ６３の階調設定電圧は、１Ｈ毎に反転駆動する。これに伴ってＣＯＭ（対向電圧）も１Ｈ反転する。
【００８０】
液晶への印加電圧は、液晶のスイッチング素子であるＴＦＴのドレイン電極と該ドレイン電極に対向するＣＯＭ電極との電位差で決定される。従って、図５に示すように、階調Ｌ０〜階調Ｌ６３までの数ポイントを外部からバイアスすることにより、たとえＬＣＤパネル８が変わったとしても、γ２．２に近似することが可能となる。なお、γ２．２はあくまで一例でありこれに限定されるわけではない。
【００８１】
図６は、外部から階調Ｌ０、階調Ｌ１５、階調Ｌ３１、階調Ｌ４７、および階調Ｌ６３の階調設定電圧をラダー抵抗２０に印加した場合の波形図である。なお、図６における、＋、−は、書き込み時の極性を示している（＋；ソース出力電圧＞ＣＯＭ電位、−；ソース出力電圧＜ＣＯＭ電位）。なお、同図では、マイナス書き込み時の液晶印加電圧と、＋書き込み時の液晶印加電圧とがそれぞれ破線にて囲われている。
【００８２】
ここで、上記の関連出願１〜４で説明したように、通常の白−黒の階調設定範囲に対して、一部使用不可領域（使用禁止領域）を設けることで、応答速度を改善することができる。しかしながら、この方法では、下位ビット圧縮をしている（つまり、表示可能階調数を落としている）。そのため、表示品位が低下する、という問題がある。
【００８３】
これに対して、特に注目すべきは、本実施の形態では、階調設定電圧およびＣＯＭ設定電圧を可変としていることである。つまり、図７に示すように、階調設定電圧（Ｌ６３＋、Ｌ４７＋、Ｌ３１＋、Ｌ１５＋、Ｌ０＋、Ｌ０−、Ｌ１５−、Ｌ３１−、Ｌ４７−、Ｌ６３−）およびＣＯＭ設定電圧（ＣＯＭ＋、ＣＯＭ−）をそれぞれ可変としている。なお、同図では、マイナス書き込み時の液晶印加電圧と、＋書き込み時の液晶印加電圧とがそれぞれ破線にて囲われている。上記のように、階調設定電圧およびＣＯＭ設定電圧を可変とすることにより、自由にγ特性を変えることができる。
【００８４】
以上のように、階調設定電圧およびＣＯＭ設定電圧を可変とすることにより、図８に示すように、液晶に印加する電圧値の使用可能範囲を変更することができるため、下位ビットＬ０〜Ｌ１４の１５階調分をカットした場合と同じ効果があり、かつ、下位ビット圧縮時のような、階調数の減少もないという効果を奏する。下位ビットＬ０〜Ｌ１４の１５階調分をカットした場合と同じ効果とは、ノーマリーブラックの場合には、黒の印加電圧を上げることにより（つまり黒を浮かせることにより）、応答速度を改善することができる。さらに、下位ビット圧縮を行わないので、階調数が減ることがなく、表示品位を下げることもない。また、ソースドライバ６のラダー抵抗２０を複数設けるという現実的でない手法をとる必要もない。
【００８５】
また、静止画の場合には、図８に示す従来使用範囲の階調設定電圧に設定し、動画の場合には、応答改善時使用範囲の階調設定電圧に設定することにより、動画では、黒が浮く分液晶のコントラストが下がるが応答速度が改善され、静止画では、画質の劣化を抑制することができる。
【００８６】
次に、コントロール部１から出力されたデジタルデータが、階調設定電圧およびＣＯＭ設定電圧になるまでの挙動について説明する。まずは階調設定電圧について図８を用いて説明する。Ｄ／Ａコンバータ３には、図８に示すように、ＶＤＤおよびＶＳＳが接続されている。このＤ／Ａコンバータ３は、８ビットＤ／Ａコンバータ３であり、階調設定デジタルデータ（階調設定値）をアナログ電圧（階調設定電圧）に変換する。例えば、設定値Ｖ０＋は、２１ｈ／ＦＦｈ＊（ＶＤＤ−ＶＳＳ）のアナログ電圧に変換される。他の設定値についても同様に、Ｄ／Ａコンバータ３によってアナログ変換される。これらのアナログ変換された階調設定電圧に対応したアナログ電圧は、それぞれ、階調ＩＣ４に入力される。
【００８７】
階調ＩＣ４は、図９に示すように、複数のスイッチ３０と、それぞれのスイッチ３０の後段に配された増幅回路３１とを有している。さらに、これらのスイッチ３０には、コントローラ部１から階調切替信号が入力されている。この階調切替信号は、図８に示すように、階調ＩＣ４の一端に配されたスイッチ３０から他端に配されたスイッチ３０へと順に入力されるようになっている。また、複数の階調設定電圧（アナログ電圧）がＤ／Ａコンバータ３から階調ＩＣ４のスイッチ３０へと供給される。そして、階調ＩＣ４は、階調切替信号に連動してスイッチ３０を切り替えて、後段の増幅回路３１へとアナログ電圧が供給される。そして、増幅器３１から（つまり階調ＩＣ４から）階調設定電圧Ｖ０、Ｖ１５、…、Ｖ４７、Ｖ６３が出力されるようになっている。
【００８８】
この構成によれば、ＥＥＰＲＯＭ２に格納した階調設定値を変えることで、ソースドライバ６へ供給する階調設定電圧を可変とし、自由に階調設定電圧の調整を行うことができるようになっている。
【００８９】
次に、ＣＯＭ設定電圧について図１０を用いて説明する。コントローラ部１（図１参照）からＤ／Ａコンバータ３に対してコモン設定デジタルデータ（コモン設定値）が入力される。このコモン設定デジタルデータは、Ｄ／Ａコンバータ３にてアナログ電圧に変換されて、後段のＣＯＭバッファ５に出力される。例えば、ＶＣＯＭ＋＝Ｆ２ｈ／ＦＦｈ＊（ＶＤＤ−ＶＳＳ）となり、ＶＣＯＭ−＝０Ｅｈ／ＦＦｈ＊（ＶＤＤ−ＶＳＳ）となる。ＶＣＯＭ振幅は、ＶＣＯＭ＋−ＶＣＯＭ−、すなわち、（Ｆ２ｈ−Ｅ０ｈ）＊（ＶＤＤ−ＶＳＳ）となる。
【００９０】
ＣＯＭバッファ５は、コモンスイッチ（部）３５、および増幅回路３６を備えている。さらに、ＣＯＭバッファ５には、コントローラ部１からコモン切替信号が入力されている。ＣＯＭバッファ５は、コモン切替信号に連動してコモンスイッチ３５を切り替えて後段の増幅回路３６へアナログ電圧を供給する。そして、増幅回路から（つまり、ＣＯＭバッファ５から）ＣＯＭ設定電圧が出力されるようになっている。この構成によれば、ＥＥＰＲＯＭ２に格納したコモン設定値を変えることで、ＬＣＤパネル８へ供給するＣＯＭ設定電圧を可変とし、自由にＣＯＭ設定電圧の設定を行うことができる。
【００９１】
さらに、動画・静止画判別信号ＭＳに基づいて、階調・コモン設定値を変えて、静止画の場合には、コントラストが十分にとれ、かつ、γ２．２に合うような階調・コモン設定デジタル値を、動画の場合には、コントラストは落ちるが、応答速度を改善し、かつ、γ＝２．２となるような階調・ＣＯＭデジタル設定値をそれぞれ格納することにより、動画・静止画それぞれに対して、最大のパフォーマンスを得ることができ、関連出願１〜４のようなビット圧縮による階調数の減少を回避できる。
【００９２】
〔実施の形態２〕
本発明の他の実施形態について図面を用いて説明する。本実施の形態では、上記実施の形態１との相違点について説明するため、説明の便宜上、実施の形態１で説明した部材と同様の機能を有する部材には同一の番号を付し、その説明を省略する。
【００９３】
本実施の形態の液晶表示装置は、図１１に示すように、実施の形態１の液晶表示装置に加えて、温度センサ（温度検知手段）４０が設けられている。さらに、同図に示すように、ＥＥＰＲＯＭ２には、各種温度に対応した静止画用階調・コモン設定値１１および動画用階調・コモン設定値１２が複数設けられている。
【００９４】
温度センサ４０は、周囲の温度をモニターする役割を有している。コントロール部１は、温度センサ４０がモニターした温度情報を定期的に読み取る。フィールド単位での動画・静止画の判別に温度情報の結果を用いるためには、最低でも１垂直期間（１Ｖ）に１回、コントロール部１が温度センサ４０を読み取りにいく構成が好ましい。
【００９５】
コントロール部１は、温度センサ４０により得られた温度情報を元にＥＥＰＲＯＭ２をアドレッシングして、得られた温度情報に対応した静止画用／動画用の階調・コモン設定値１１・１２を抽出する。また、液晶の応答速度は、温度によって変動し、一般に低温になるほど、応答性能が悪化する。
【００９６】
これに対して、本実施の形態によれば、周囲の温度変化により、液晶の応答速度が変化しても、その都度最適な階調・コモン設定が可能となり、表示品位が著しく向上する。
〔実施の形態３〕
本発明の他の実施形態について図面を用いて説明する。本実施の形態では、上記実施の形態１・２との相違点について説明するため、説明の便宜上、実施の形態１で説明した部材と同様の機能を有する部材には同一の番号を付し、その説明を省略する。
【００９７】
本実施の形態の液晶表示装置では、透過型、反射型のモードを適宜切り替えることができるようになっている。
【００９８】
本実施の形態の液晶表示装置では、図１２に示すように、実施の形態２の構成に加えて、光センサ（モード検知手段）４１が設けている。さらに、同図に示すように、実施の形態２に記載の各種温度に対応した静止画用階調・コモン設定値１１が、透過モード用の各種温度に対応した静止画用階調・コモン設定値１１−Ａおよび反射モード用の各種温度に対応した静止画用階調・コモン設定値１１−Ｂとから構成されている。また、実施の形態２に記載の各種温度に対応した動画用階調・コモン設定値１２が、透過モード用の各種温度に対応した動画用階調・コモン設定値１２−Ａおよび反射モード用の各種温度に対応した動画用階調・コモン設定値１２−Ｂとから構成されている。
【００９９】
光センサ４１は、現状の液晶表示装置のモードが反射モードか透過モードかを判別する。コントロール部１は、上記の実施の形態２における温度センサ４０に対して読み取りにいく理由と同様の理由から、光センサ４１に対しても、最低でも１Ｖに一回の周期で、読み取りにいく。
【０１００】
コントロール部１は、透過か反射のモードの違い、および、温度情報から最適な階調・コモン設定値をＥＥＰＲＯＭ２から選択する。つまりＥＥＰＲＯＭ２のアドレス指定をする。
【０１０１】
本実施の形態によれば、半透過型のモジュールにおいて、透過モードか反射モードかの液晶のモード、各種温度、動画か静止画か、に合わせて最適な階調・コモン設定値を選択することが可能であり、応答性能をさらに改善することができ、かつ、動画時の品位劣化を最小限に抑えることができる。
【０１０２】
なお、詳細な説明は省略するが、実施の形態１の液晶表示装置に温度センサ４０を設けずに、光センサ４１のみを設けたものも本発明の技術的範囲に含まれる。
【０１０３】
〔実施の形態４〕
本発明の他の実施形態について図面を用いて説明する。本実施の形態では、上記実施の形態１〜３との相違点について説明するため、説明の便宜上、実施の形態１で説明した部材と同様の機能を有する部材には同一の番号を付し、その説明を省略する。
【０１０４】
本実施の形態の液晶表示装置は、図１３に示すように、実施の形態１に記載の液晶表示装置にさらに、オーバーシュート処理部（オーバーシュート駆動部）４５、フレームメモリ４６、複数のＬＵＴ（ルックアップテーブル）４７が設けられている。なお、ＬＵＴ４７は、ＥＥＰＲＯＭ２に設けられている。上記の実施の形態１〜３では、コントロール部１に入力される画像データ入力信号ＤＡＴをそのまま加工せずに画像データ出力信号ＤＡＴとしてソースドライバ６へ入力していた。
【０１０５】
これに対して、本実施の形態では、コントロール部１からの画像データ出力信号ＤＡＴを一旦、オーバーシュート処理部４５に入力し、１フレーム前のフレームメモリ４６に格納しておいたデータと入力データとを比較して、データに相違があれば、ＬＵＴ４７から所望のデータを読み出す。なお、オーバーシュート駆動の動作については、既に説明した通りであるので、これ以上の説明は省略する。上記構成によれば、実施の形態１に記載の作用効果を維持しつつ、さらに、低温（極低温）の動作を考えた場合でも、応答速度の改善を図ることができる。
【０１０６】
〔実施の形態５〕
本発明の他の実施形態について図面を用いて説明する。本実施の形態では、上記実施の形態１〜４との相違点について説明するため、説明の便宜上、実施の形態１で説明した部材と同様の機能を有する部材には同一の番号を付し、その説明を省略する。
【０１０７】
本実施の形態の液晶表示装置は、図１４に示すように、実施の形態２に記載の液晶表示装置にさらに、オーバーシュート処理部４５、フレームメモリ４６、複数のＬＵＴ４７が設けられた構成となっている。上記構成によれば、実施の形態２に記載の作用効果を維持しつつ、さらに、低温（極低温）の動作を考えた場合でも、応答速度の改善を図ることができる。
【０１０８】
〔実施の形態６〕
本発明の他の実施形態について図面を用いて説明する。本実施の形態では、上記実施の形態１〜５との相違点について説明するため、説明の便宜上、実施の形態１で説明した部材と同様の機能を有する部材には同一の番号を付し、その説明を省略する。
【０１０９】
本実施の形態の液晶表示装置は、実施の形態３に記載の液晶表示装置にさらに、図１５に示すように、オーバーシュート処理部４５、フレームメモリ４６、透過モード用の複数のＬＵＴ４７−Ａ、反射モード用の複数のＬＵＴ４７−Ｂが設けられた構成となっている。
【０１１０】
上記構成によれば、実施の形態３に記載の作用効果を維持しつつ、さらに、低温（極低温）の動作を考えた場合でも、応答速度の改善を図ることができる。なお、詳細な説明は省略するが、実施の形態４の液晶表示装置に温度センサ４０を設けずに、光センサ４１のみを設けたものも本発明の技術的範囲に含まれる。また、上記の温度センサ４０は、図１６に示すように、Ａ／Ｄコンバータ６１、サーミスタ６３、固定抵抗６２を備えている。サーミスタ６３の一端は電圧Ｖｃｃに接続されている一方イ、サーミスタ６３の他端は固定抵抗６２の一端と接続されている。固定抵抗６２の他端は、グランド６４に接続されている。また、サーミスタ６３と固定抵抗６２との間の電圧は、Ｖｉｎであり、このＶｉｎがＡ／Ｄコンバータ６１に印加され、Ａ／Ｄコンバータ６１にてアナログ−デジタル変換されてコントロール部１へ出力される。
【０１１１】
図１６に示すような、サーミスタ６３を用いた回路を組むことにより、Ａ／Ｄコンバータ６１の入力部のアナログ電圧Ｖｉｎは温度により可変となる。図１７は、温度と、アナログＶｉｎとの関係の一例を示している。なお、同図における、ＦＦｈおよび００ｈは、Ａ／Ｄコンバータ６１にて、アナログ−デジタル変換された後の値である。
【０１１２】
また、例えば、車載用途で使用する場合に、−３５℃〜８５℃までの動作範囲があるとき、液晶の応答速度はアナログ的に変化する（ある温度をスレッシュして段階的、デジタル的に変化するものではない）。従って、動作温度の範囲を何分割かに分けて、ある温度範囲の幅の中では同一のパラメータを選定する。
【０１１３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１１４】
本発明の液晶表示装置およびその駆動方法は、液晶ＴＶ、携帯ＴＶなどに用いることができ、温度の変化の大きい、車載用に特に好適に用いることができる。
【図面の簡単な説明】
【０１１５】
【図１】本発明の実施の形態の液晶表示装置の概略構成を示すブロック図である。
【図２】ノーマリーブラックのＶ−Ｔ特性を示す図である。
【図３】図１に示すソースドライバに内蔵されているラダー抵抗を示す図である。
【図４】γ＝２．２の際の階調−輝度特性を示す図である。
【図５】図３に示すラダー抵抗に対して、外部バイアスポイントを５ポイントとした場合のラダー抵抗を示す図である。
【図６】図５に示すラダー抵抗を用いて、マイナス書き込み時の液晶印加電圧およびプラス書き込み時の液晶印加電圧を示す図である。
【図７】図６に対して、さらに、外部設定電圧を可変とした場合を示す図である。
【図８】本実施の形態によって外部設定電圧を可変とした場合を示す図である。
【図９】コントローラからのデジタル出力がアナログの階調電圧になるまでの挙動を説明するための、Ｄ／Ａコンバータおよび階調ＩＣを示す図である。
【図１０】コントローラからのデジタル出力がアナログの階調電圧になるまでの挙動を説明するための、Ｄ／ＡコンバータおよびＣＯＭバッファを示す図である。
【図１１】本発明の他の実施の形態の液晶表示装置の概略構成を示す図である。
【図１２】本発明のさらに他の実施の形態の液晶表示装置の概略構成を示す図である。
【図１３】本発明のさらに他の実施の形態の液晶表示装置の概略構成を示す図である。
【図１４】本発明のさらに他の実施の形態の液晶表示装置の概略構成を示す図である。
【図１５】本発明のさらに他の実施の形態の液晶表示装置の概略構成を示す図である。
【図１６】温度センサの概略構成を示すブロック図である。
【図１７】図１６に示す温度センサを用いた場合の電圧の温度の関係を示すグラフである。
【図１８】本発明の関連出願の下位ビット圧縮に用いるルックアップテーブルを示す図である。
【図１９】下位ビット圧縮を行う場合と行わない場合との画素のデータ遷移を示す図である。
【図２０】図１９に示すそれぞれの場合の光学特性を示す波形図である。
【図２１】図１９に示すそれぞれの場合を低温で行った場合の光学特性を示す波形図である。
【図２２】オーバーシュート駆動を行った場合と行わない場合との画素のデータ遷移を示す図と、それぞれの場合の光学特性を示す波形図である。
【図２３】オーバーシュート駆動および下位ビット圧縮を行った場合と行わなかった場合との画素のデータ遷移を示す図と、それぞれの場合の光学特性を示す波形図である。
【図２４】従来技術を説明するものであり、オーバーシュート（ＯＳ）駆動を行った場合と行わなかった場合との画素のデータ遷移を示す図である。
【図２５】従来技術を説明するものであり、図２４に示すそれぞれの場合の光学特性を示す波形図である。
【図２６】従来技術を説明するものであり、オーバーシュート駆動を行わなかった場合の階調間の応答速度を示す図である。
【図２７】従来技術を説明するものであり、オーバーシュート駆動を行った場合の階調間の応答速度を示す図である。
【図２８】従来技術を説明するためのものであり、低温でオーバーシュート（ＯＳ）駆動を行った場合と行わなかった場合との画素のデータ遷移を示す図である。
【図２９】従来技術を説明するためのものであり、図２８に示すそれぞれの場合の光学特性を示す波形図である。
【図３０】従来技術を説明するためのものであり、液晶印加電圧に関し、従来の使用範囲とビット圧縮後の使用範囲とを示す図である。
【符号の説明】
【０１１６】
２        ＥＥＰＲＯＭ（記憶部）
４        階調ＩＣ
５        ＣＯＭバッファ
６        ソースドライバ（映像信号線駆動部）
８        ＬＣＤパネル（映像表示部）
９        静止画用階調・コモン設定用レジスタ
１０      動画用階調・コモン設定用レジスタ
１１      静止画用階調・コモン設定値（設定値）
１２      動画用階調・コモン設定値（設定値）
１１−Ａ  静止画用階調・コモン設定値（設定値）
１１−Ｂ  静止画用階調・コモン設定値（設定値）
１２−Ａ  動画用階調・コモン設定値（設定値）
１２−Ｂ  動画用階調・コモン設定値（設定値）
４０      温度センサ（温度検知手段）
４１      光センサ（モード検知手段）
４６      フレームメモリ
４７      ＬＵＴ（ルックアップテーブル）
４５      オーバーシュート処理部（オーバーシュート駆動部）
【図１】
2008020858.tif 000003
【図２】
2008020858.tif 000004
【図３】
2008020858.tif 000005
【図４】
2008020858.tif 000006
【図５】
2008020858.tif 000007
【図６】
2008020858.tif 000008
【図７】
2008020858.tif 000009
【図８】
2008020858.tif 000010
【図９】
2008020858.tif 000011
【図１０】
2008020858.tif 000012
【図１１】
2008020858.tif 000013
【図１２】
2008020858.tif 000014
【図１３】
2008020858.tif 000015
【図１４】
2008020858.tif 000016
【図１５】
2008020858.tif 000017
【図１６】
2008020858.tif 000018
【図１７】
2008020858.tif 000019
【図１８】
2008020858.tif 000020
【図１９】
2008020858.tif 000021
【図２０】
2008020858.tif 000022
【図２１】
2008020858.tif 000023
【図２２】
2008020858.tif 000024
【図２３】
2008020858.tif 000025
【図２４】
2008020858.tif 000026
【図２５】
2008020858.tif 000027
【図２６】
2008020858.tif 000028
【図２７】
2008020858.tif 000029
【図２８】
2008020858.tif 000030
【図２９】
2008020858.tif 000031
【図３０】
2008020858.tif 000032